【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
２部式生物活性剤送達システムであって、
前記システムは：
使い捨て部品であって、
作用剤リザーバであって、前記作用剤リザーバは、チャンバ内で移動可能に配置されたピストンを備える、作用剤リザーバと、
ボーラスチャンバであって、前記ボーラスチャンバは、チャンバ内で移動可能に配置されたピストンを備え、前記ボーラスチャンバの容積は、前記作用剤リザーバの容積未満である、ボーラスチャンバと、
作用剤流出口と、前記作用剤リザーバと前記ボーラスチャンバとを連通させる第１の位置及び前記ボーラスチャンバと前記流出口とを連通させる第２の位置を有する弁と
を備える、使い捨て部品；並びに
弁ドライバと、電源と、電子制御装置であって、前記電子制御装置は、前記弁を作動させて生物活性剤を前記作用剤リザーバから前記作用剤流出口へと送達するよう、前記弁ドライバを制御するよう適合される、電子制御装置とを備える、再使用式部品
を備え、
前記システムは更に、前記作用剤リザーバピストンとある表面との間に延在するばねを備え、これにより、前記ばねが圧縮されている時に前記作用剤リザーバを加圧し、また前記作用剤リザーバは、ある量の生物活性剤を内包する、２部式生物活性剤送達システム。
【請求項２】
前記流出口と連通し、また前記生物活性剤をユーザに経皮送達するよう適合される、経皮パッチを更に備え、
好ましくは、前記使い捨て部品内に配置されて前記経皮パッチと連通する溶媒回収チャンバを更に備え、前記溶媒回収チャンバは、気相溶媒を前記経皮パッチから受け取るよう適合され、
さらに好ましくは、前記溶媒回収チャンバ内に配置された乾燥剤を更に備える、
請求項１に記載のシステム。
【請求項３】
前記ばねは、前記使い捨て部品を前記再使用式部品に接続する前に、前記使い捨て部品内に配置される、請求項１に記載のシステム。
【請求項４】
前記ばねは第１のばねであり、前記システムは、前記ボーラスチャンバピストンとある表面との間に延在する第２のばねを更に備え、前記第２のばねは、ある量の生物活性剤が前記ボーラスチャンバ内に存在する場合に、少なくとも部分的に負荷を掛けられ、
好ましくは、前記第２のばねは、（ａ）前記ボーラスチャンバピストンと、前記使い捨て部品のある表面との間に延在し、前記ボーラスチャンバピストンは、加圧された生物活性剤が前記作用剤リザーバから前記弁を通って前記ボーラスチャンバに入る際に移動して前記第２のばねに負荷を掛けるよう適合され、あるいは、（ｂ）前記ボーラスチャンバピストンと、前記再使用式部品のある表面との間に延在する、
請求項１に記載のシステム。
【請求項５】
前記弁は、６０°〜９０°（上限値及び下限値を含む）の運動範囲を有する回転式弁である、請求項１に記載のシステム。
【請求項６】
前記表面は、（ａ）前記使い捨て部品の表面を含み、あるいは、（ｂ）前記再使用式部品の表面を含み、前記ばねは、前記使い捨て部品が前記再使用式部品に接続された場合に少なくとも部分的に負荷を掛けられ、前記作用剤リザーバは、ある量の生物活性剤を内包する、
請求項１に記載のシステム。
【請求項７】
前記ボーラスチャンバは、溶媒に溶解した生物活性剤を前記作用剤流出口に供給するよう構成され、
好ましくは、前記使い捨て部品内に、前記経皮パッチに隣接して、蒸気透過膜を更に備え、
さらに好ましくは、（ａ）前記作用剤流出口は、前記溶媒中に溶解させた前記生物活性剤を、前記経皮パッチと前記蒸気透過膜との間の空間に供給するよう構成され、及び又は、（ｂ）前記蒸気透過膜は、前記溶媒回収チャンバと流体連通する、
請求項１に記載のシステム。
【請求項８】
前記経皮パッチは、（ａ）前記溶媒が前記経皮パッチの前記複数の開口を通過するのを防止しながら、前記生物活性剤に、前記経皮パッチの複数の開口を通過させるよう、適合され、及び又は、（ｂ）ポリプロピレン膜を含み、前記ポリプロピレン膜は、平均細孔直径約０．０２μｍ〜約０．１０μｍの細孔を有する、
請求項２又は７に記載のシステム。
【請求項９】
前記作用剤リザーバ及び前記ボーラスチャンバは、生物活性剤と、アルコール及び水を含む溶媒溶液とを内包するよう構成され、
前記溶媒溶液は、約４０：６０〜約６０：４０の水：アルコール比を有する、
請求項１から８のいずれか一項に記載のシステム。
【請求項１０】
前記再使用式部品が前記使い捨て部品に接続されたことの示徴を提供するために前記電子制御装置に動作可能に接続された接続インジケータを更に備え、
好ましくは、前記接続インジケータは、前記再使用式部品上の第１のコンダクタ及び前記使い捨て部品上の第２のコンダクタを備え、前記第１のコンダクタ及び前記第２のコンダクタは、前記再使用式部品が前記使い捨て部品に接続された際に、電気回路を閉鎖するよう配設及び配置され、
最も好ましくは、前記第１のコンダクタ及び前記第２のコンダクタの少なくとも１つは、導電性エラストマ材料を含む、
請求項１から９のいずれか一項に記載のシステム。
【請求項１１】
前記再使用式部品上にディスプレイを更に備え、前記ディスプレイは、前記電子制御装置に動作可能に接続され、
好ましくは、前記電子制御装置に動作可能に接続されたユーザ作動式ボタンを更に備え、前記電子制御装置は、前記ボタンの作動を検出するよう、更に適合され、
最も好ましくは、（ａ）前記電子制御装置は、前記ボタンの作動の検出に応答して前記ディスプレイ上にメッセージを表示するよう、更に適合され、若しくは、（ｂ）前記再使用式部品は、別のデバイスに、前記ボタンの作動を示す信号を無線送信するよう構成された、無線トランスミッタを更に備え、前記再使用式部品は、前記別のデバイスからの無線信号を受信するよう構成されたレシーバを更に選択的に備え、前記電子制御装置は更に、前記レシーバが受信した前記無線信号に応答して、前記ディスプレイ上にメッセージを表示するよう構成される、
請求項１から１０のいずれか一項に記載のシステム。
【請求項１２】
前記再使用式部品は、ネットワーク又は計算デバイスとのデータの無線送受信を行うよう構成された、無線データ通信モジュールを更に備え、
好ましくは、前記無線データ通信モジュールは、ブルートゥース接続を介してデータを送るよう構成される、
請求項１から１１のいずれか一項に記載のシステム。
【請求項１３】
前記システムに入力を供給するよう構成された１つ又は複数のボタン、又は、
前記再使用式部品を前記使い捨て部品から係合解除するよう構成された係合解除ボタン、
を１つ又はそれ以上備える、
請求項１から１２のいずれか一項に記載のシステム。
【請求項１４】
前記ボーラスチャンバの容積は、約０．５ｍｌ未満であり、若しくは、
前記作用剤リザーバの容積は、約３ｍｌ未満である、
請求項１から１３のいずれか一項に記載のシステム。
【請求項１５】
前記生物活性剤は：アカンプロセート、アセトアミノフェン、アセトアミノフェン＋オキシコドン、アレビシンＳＧ、アルフェンタニル、アロプリノール、アルモトリプタン、アルプラゾラム、アルプラゾラムＸＲ、アミトリプチリン、アモキサピン、アポモルヒネ、アリピプラゾール、アルモダフィニル、マレイン酸アセナピン、アトモキセチン、アゼラスチンＨＣＬ、バクロフェン、ベンズブロマロン、ベンジダミン、ブレキスピラゾール、ブデソニド、ブピバカイン、ブプレノルフィン、ブプレノルフィン＋ナロキソン、ブプロピオン、臭化水素酸ブプロピオン、塩酸ブプロピオン、ブプロピオンＳＲ、ブプロピオンＸＲ、ブスピロン、カベルゴリン、カプサイシン、カルバマゼピンＣＲ、カルバマゼピンＸＲ、カルビドパ＋レボドパＥｒ、カリソプロドール、セレコキシブ、シタロプラム、クロバザム、クロナゼパム、クロニジンパッチ、クロニジンＳＲ、クロピドグレル、コルヒチン、シクロベンザプリンＥＲ、シクロベンザプリンＰＯ、ダルテパリンナトリウム、デスベンラファキシン、デスベンラファキシンＥＲ、デキサムフェタミン、デキスメチルフェニデートＨｃｌ、デキスメチルフェニデートＨｃｌ  ＬＡ、ジアゼパム、ジクロフェナク、ジクロフェナクゲル、ジクロフェナクＩＲ、ジクロフェナクＩＶ、ジクロフェナクカリウムＩＲ、ジクロフェナクカリウムＸＲ、ジクロフェナク経皮、ジスルフィラム、ジバルプロエクスナトリウム、ドラセトロンメシレート、ドキセピン、ドロナビノール、ドロキシドパ、デュロキセチン、エレトリプタン、エンタカポン、シュウ酸エスシタロプラム、エスリカルバゼピンアセテート、エソメプラゾール／ナプロキセン、エストラジオール、エストロゲン、エスゾピクロン、エトスクシミド、エトドラク、エゾガビン、フェブキソスタット、フェルバメート、フェンブフェン、クエン酸フェンタニル、フェンタニル経口、フェンタニルパッチ、フェンタニルＳＬ、フルニソリド、フルオロウラシル、フルオキセチン、プロピオン酸フルチカゾン、フルボキサミンＣｒ、フォルモテロール、ホスフェニトイン、フロバトリプタン、ガバペンチン、ガバペンチンＥＲ、グラニセトロンＥＲ、グアンファシン、酒石酸水素ヒドロコドンＣＲ、ヒドロコドン＋アセトアミノフェン、ヒドロコルチゾン、ヒドロモルホンＨｃｌ、ヒドロキシジン、オトギリソウ抽出物、イブプロフェン、インドメタシン、ケトロラック、ラコサミド、ラモトリジン、ラモトリジンＣＤＴ、ラモトリジンＯＤＴ、ラモトリジンＸＲ、レベチラセタム、レベチラセタムＩＲ、レベチラセタムＸＲ、レボミルナシプラン、レボサルブタモール、リドカインパッチ、リドカイン／テトラカイン、リスデックスフェタミン、炭酸リチウム、ロラゼパム、ロルカセリン、塩酸塩、ロサルタン、ロキサピン、メクリジン、メロキシカム、メタキサロン、メチルフェニデート、塩酸メチルフェニデート、メチルフェニデートＬＡ、メチルフェニデートＭＲ、メチルフェニデートパッチ、ミルナシプラン、ミルタザピン、モダフィニル、モルヒネ、モルヒネＣＲ、モルヒネＥＲ、ナビロン、ナドロール、ナルトレキソン、ナプロキセン、ナラトリプタン、ネドクロミル、ネファゾドン、ニトログリセリン、ニトログリセリ���軟膏、オランザピン、オランザピンＩＭ、オランザピンＬＡ、オンダンセトロン、オンダンセトロンＯＤＦＳ、オンダンセトロンＯＤＴ、オルリスタット、オキサプロジン、オキシカルバゼピン、オキシカルバゼピンＥＲ、オキシブチニン、オキシブチニンゲル、オキシコドン、オキシコドン＋アセトアミノフェン、オキシコドン塩酸塩、オキシコドンＩＲ、オキシモルホン、オキシモルホンＥＲ、パロノセトロン、パミドロネート、パロキセチン、パロキセチンメシレート、ペランパネル、フェンテルミン＋トピラメート、フェンテルミン塩酸塩、フェントラミンメシレート、プラミペキソール、プラミペキソール‐Ｅｒ、プラスグレル、プラゼパム、プレドニゾン、プレガバリン、プロメタジン、プロポフォール、クエチアピン、フマル酸クエチアピン、フマル酸クエチアピンＸＲ、ラメルテオン、ラサギリンメシレート、レミフェンタニル、リスペリドン、酒石酸リバスチグミン、リザトリプタン、ロピニロール、ロピニロールＸＬ、ロピバカイン、ロチゴチン、ルフィナミド、サルブタモール、スコポラミン、セレギリン、セレギリンＯＤＴ、セレギリン経皮、セルトラリン、ナトリウムオキシベート、ストロンチウム、スフェンタニル‐Ｅｎｔ、スマトリプタン自動注入装置、スマトリプタン無針、コハク酸スマトリプタン、スボレキサント、タペンタドール、タペンタドールＥＲ、タシメルテオン、テマゼパム、テストステロン、テトラカイン＋リドカイン、テオフィリン、チアガビン、チオトロピウム、チロフィバンＨｃＬ、トルカポン、トピラメート、トピラメートＸＲ、トラマドール、トラマドール＋アセトアミノフェン、トラマドールＥＲ、トラゾドンＣｒ、トリアゾラム、マレイン酸トリミプラミン、バルプロ酸セミナトリウムＥＲ、バルプロ酸ナトリウム、ベンラファキシン、ベンラファキシンＥＲ、ビガバトリン、ビラゾドン、ボルチオキセチン、ザレプロン、ジレウトン、ジプラシドン、ゾルミトリプタン経口、ゾルミトリプタンＺＭＴ、ゾルピデム、ゾルピデムスプレー、酒石酸ゾルピデムＣＲ、酒石酸ゾルピデム低用量ＳＬ、酒石酸ゾルピデムＳＬ、酢酸ノルエチステロン（ＮＥＴＡ）、エナプリル、エチニルエストラジオール、インスリン、メマンチン、メタンフェタミン、ノルエルゲストロミン、ペルゴリド、ラミプリル、タクリン、チモロール、トルテロジン、及びゾニサミドからなる群から選択される、
請求項１から１４のいずれか一項に記載のシステム。
【手続補正２】
【補正対象書類名】明細書
【補正対象項目名】０２３９
【補正方法】変更
【補正の内容】
【０２３９】
本発明に関連する更なる詳細については、複数の材料及び製造技法を、当業者のレベル内にあるものとして採用してよい。一般的又は論理的に採用される追加の操作に関して、本発明の方法に基づく態様に対しても同様のことが当てはまり得る。また、記載された本発明の変形例のいずれの任意の特徴は、独立して、又は本明細書に記載の上記特徴のうちのいずれの１つ若しくは複数と組み合わせて、列挙及び請求してよい。同様に、単数の項目に対する言及は、複数の同一の項目が存在する可能性を含む。より具体的には、本明細書及び添付の請求項において使用される場合、単数形「ある（ａ、ａｎ）」及び「上記、前記（ｓａｉｄ、ｔｈｅ）」は、文脈上そうでないことが明示されない限り、複数の指示対象を含む。更に、請求項は、いずれの任意の要素を排除するために起草され得ることに留意されたい。従って、この記述は、請求項の要素の列挙に関連した「専ら（ｓｏｌｅｌｙ）」、「単なる（ｏｎｌｙ）」等の排他的用語の使用、又は「否定的（ｎｅｇａｔｉｖｅ）」限定の使用のための、先行する基礎として機能することを意図したものである。本明細書中において他に定義されない限り、本明細書中で使用される全ての技術的及び科学的用語は、本発明が属する分野の当業者が一般に理解する意味と同一の意味を有する。本発明の範囲は、主題の明細書によって限定されるものではなく、採用された請求項の用語の明白な意味によってのみ限定される。量又は測定値と共に使用される場合、用語「約（ａｂｏｕｔ）」は、±１０％を意味する。
〔付記１〕
２部式生物活性剤送達システムであって、
前記システムは：
使い捨て部品であって、
作用剤リザーバであって、前記作用剤リザーバは、チャンバ内で移動可能に配置されたピストンを備える、作用剤リザーバと、
ボーラスチャンバであって、前記ボーラスチャンバは、チャンバ内で移動可能に配置されたピストンを備え、前記ボーラスチャンバの容積は、前記作用剤リザーバの容積未満である、ボーラスチャンバと、
作用剤流出口と、前記作用剤リザーバと前記ボーラスチャンバとを連通させる第１の位置及び前記ボーラスチャンバと前記流出口とを連通させる第２の位置を有する弁と
を備える、使い捨て部品；並びに
弁ドライバと、電源と、電子制御装置であって、前記電子制御装置は、前記弁を作動させて生物活性剤を前記作用剤リザーバから前記作用剤流出口へと送達するよう、前記弁ドライバを制御するよう適合される、電子制御装置とを備える、再使用式部品
を備え、
前記システムは更に、前記作用剤リザーバピストンとある表面との間に延在するばねを備え、これにより、前記ばねが圧縮されている時に前記作用剤リザーバを加圧し、また前記作用剤リザーバは、ある量の生物活性剤を内包する、２部式生物活性剤送達システム。
〔付記２〕
前記流出口と連通し、また前記生物活性剤をユーザに経皮送達するよう適合される、経皮パッチを更に備える、付記１に記載のシステム。
〔付記３〕
前記使い捨て部品内に配置されて前記経皮パッチと連通する溶媒回収チャンバを更に備え、
前記溶媒回収チャンバは、気相溶媒を前記経皮パッチから受け取るよう適合される、付記２に記載のシステム。
〔付記４〕
前記溶媒回収チャンバ内に配置された乾燥剤を更に備える、付記３に記載のシステム。
〔付記５〕
前記ばねは、前記使い捨て部品を前記再使用式部品に接続する前に、前記使い捨て部品内に配置される、付記１に記載のシステム。
〔付記６〕
前記ばねは、前記使い捨て部品を前記再使用式部品に接続する前に、前記再使用式部品内に配置される、付記１に記載のシステム。
〔付記７〕
前記ばねは第１のばねであり、
前記システムは、前記ボーラスチャンバピストンとある表面との間に延在する第２のばねを更に備え、
前記第２のばねは、ある量の生物活性剤が前記ボーラスチャンバ内に存在する場合に、少なくとも部分的に負荷を掛けられる、付記１に記載のシステム。
〔付記８〕
前記第２のばねは、前記ボーラスチャンバピストンと、前記使い捨て部品のある表面との間に延在し、
前記ボーラスチャンバピストンは、加圧された生物活性剤が前記作用剤リザーバから前記弁を通って前記ボーラスチャンバに入る際に移動して前記第２のばねに負荷を掛けるよう適合される、付記７に記載のシステム。
〔付記９〕
前記第２のばねは、前記ボーラスチャンバピストンと、前記再使用式部品のある表面との間に延在する、付記７に記載のシステム。
〔付記１０〕
前記弁は、６０°〜９０°（上限値及び下限値を含む）の運動範囲を有する回転式弁である、付記１に記載のシステム。
〔付記１１〕
前記表面は、前記使い捨て部品の表面を含む、付記１に記載のシステム。
〔付記１２〕
前記表面は、前記再使用式部品の表面を含み、
前記ばねは、前記使い捨て部品が前記再使用式部品に接続された場合に少なくとも部分的に負荷を掛けられ、
前記作用剤リザーバは、ある量の生物活性剤を内包する、付記１に記載のシステム。
〔付記１３〕
前記ボーラスチャンバは、溶媒に溶解した生物活性剤を前記作用剤流出口に供給するよう構成される、付記２又は３に記載のシステム。
〔付記１４〕
前記使い捨て部品内に、前記経皮パッチに隣接して、蒸気透過膜を更に備える、付記１３に記載のシステム。
〔付記１５〕
前記作用剤流出口は、前記溶媒中に溶解させた前記生物活性剤を、前記経皮パッチと前記蒸気透過膜との間の空間に供給するよう構成される、付記１４に記載のシステム。
〔付記１６〕
前記蒸気透過膜は、前記溶媒回収チャンバと流体連通する、付記１４又は１５に記載のシステム。
〔付記１７〕
前記経皮パッチは、前記溶媒が前記経皮パッチの前記複数の開口を通過するのを防止しながら、前記生物活性剤に、前記経皮パッチの複数の開口を通過させるよう、適合される、付記２、３、１３〜１６のいずれか１項に記載のシステム。
〔付記１８〕
前記経皮パッチは、ポリプロピレン膜を含む、付記２、３、１３〜１７のいずれか１項に記載のシステム。
〔付記１９〕
前記ポリプロピレン膜は、平均細孔直径約０．０２μｍ〜約０．１０μｍの細孔を有する、付記１８に記載のシステム。
〔付記２０〕
前記作用剤リザーバ及び前記ボーラスチャンバは、生物活性剤と、アルコール及び水を含む溶媒溶液とを内包するよう構成され、
前記溶媒溶液は、約４０：６０〜約６０：４０の水：アルコール比を有する、付記１〜１９のいずれか１項に記載のシステム。
〔付記２１〕
前記再使用式部品が前記使い捨て部品に接続されたことの示徴を提供するために前記電子制御装置に動作可能に接続された接続インジケータを更に備える、付記１〜２０のいずれか１項に記載のシステム。
〔付記２２〕
前記接続インジケータは、前記再使用式部品上の第１のコンダクタ及び前記使い捨て部品上の第２のコンダクタを備え、
前記第１のコンダクタ及び前記第２のコンダクタは、前記再使用式部品が前記使い捨て部品に接続された際に、電気回路を閉鎖するよう配設及び配置される、付記２１に記載のシステム。
〔付記２３〕
前記第１のコンダクタ及び前記第２のコンダクタは、導電性エラストマ材料を含む、付記２２に記載のシステム。
〔付記２４〕
前記再使用式部品上にディスプレイを更に備え、前記ディスプレイは、前記電子制御装置に動作可能に接続される、付記１〜２３のいずれか１項に記載のシステム。
〔付記２５〕
前記電子制御装置に動作可能に接続されたユーザ作動式ボタンを更に備え、
前記電子制御装置は、前記ボタンの作動を検出するよう、更に適合される、付記２４に記載のシステム。
〔付記２６〕
前記電子制御装置は、前記ボタンの作動の検出に応答して前記ディスプレイ上にメッセージを表示するよう、更に適合される、付記２５に記載のシステム。
〔付記２７〕
前記再使用式部品は、別のデバイスに、前記ボタンの作動を示す信号を無線送信するよう構成された、無線トランスミッタを更に備える、付記２５に記載のシステム。
〔付記２８〕
前記再使用式部品は、前記別のデバイスからの無線信号を受信するよう構成されたレシーバを更に備え、
前記電子制御装置は更に、前記レシーバが受信した前記無線信号に応答して、前記ディスプレイ上にメッセージを表示するよう構成される、付記２７に記載のシステム。
〔付記２９〕
前記再使用式部品は、ネットワーク又は計算デバイスとのデータの無線送受信を行うよう構成された、無線データ通信モジュールを更に備える、付記１〜２８のいずれか１項に記載のシステム。
〔付記３０〕
前記無線データ通信モジュールは、ブルートゥース接続を介してデータを送るよう構成される、付記２９に記載のシステム。
〔付記３１〕
前記システムに入力を供給するよう構成された１つ又は複数のボタンを更に備える、付記１〜３０のいずれか１項に記載のシステム。
〔付記３２〕
前記再使用式部品を前記使い捨て部品から係合解除するよう構成された係合解除ボタンを更に備える、付記１〜３１のいずれか１項に記載のシステム。
〔付記３３〕
前記ボーラスチャンバの容積は、約０．５ｍｌ未満である、付記１〜３２のいずれか１項に記載のシステム。
〔付記３４〕
前記作用剤リザーバの容積は、約３ｍｌ未満である、付記１〜３３のいずれか１項に記載のシステム。
〔付記３５〕
前記生物活性剤は：アカンプロセート、アセトアミノフェン、アセトアミノフェン＋オキシコドン、アレビシンＳＧ、アルフェンタニル、アロプリノール、アルモトリプタン、アルプラゾラム、アルプラゾラムＸＲ、アミトリプチリン、アモキサピン、アポモルヒネ、アリピプラゾール、アルモダフィニル、マレイン酸アセナピン、アトモキセチン、アゼラスチンＨＣＬ、バクロフェン、ベンズブロマロン、ベンジダミン、ブレキスピラゾール、ブデソニド、ブピバカイン、ブプレノルフィン、ブプレノルフィン＋ナロキソン、ブプロピオン、臭化水素酸ブプロピオン、塩酸ブプロピオン、ブプロピオンＳＲ、ブプロピオンＸＲ、ブスピロン、カベルゴリン、カプサイシン、カルバマゼピンＣＲ、カルバマゼピンＸＲ、カルビドパ＋レボドパＥｒ、カリソプロドール、セレコキシブ、シタロプラム、クロバザム、クロナゼパム、クロニジンパッチ、クロニジンＳＲ、クロピドグレル、コルヒチン、シクロベンザプリンＥＲ、シクロベンザプリンＰＯ、ダルテパリンナトリウム、デスベンラファキシン、デスベンラファキシンＥＲ、デキサムフェタミン、デキスメチルフェニデートＨｃｌ、デキスメチルフェニデートＨｃｌ  ＬＡ、ジアゼパム、ジクロフェナク、ジクロフェナクゲル、ジクロフェナクＩＲ、ジクロフェナクＩＶ、ジクロフェナクカリウムＩＲ、ジクロフェナクカリウムＸＲ、ジクロフェナク経皮、ジスルフィラム、ジバルプロエクスナトリウム、ドラセトロンメシレート、ドキセピン、ドロナビノール、ドロキシドパ、デュロキセチン、エレトリプタン、エンタカポン、シュウ酸エスシタロプラム、エスリカルバゼピンアセテート、エソメプラゾール／ナプロキセン、エストラジオール、エストロゲン、エスゾピクロン、エトスクシミド、エトドラク、エゾガビン、フェブキソスタット、フェルバメート、フェンブフェン、クエン酸フェンタニル、フェンタニル経口、フェンタニルパッチ、フェンタニルＳＬ、フルニソリド、フルオロウラシル、フルオキセチン、プロピオン酸フルチカゾン、フルボキサミンＣｒ、フォルモテロール、ホスフェニトイン、フロバトリプタン、ガバペンチン、ガバペンチンＥＲ、グラニセトロンＥＲ、グアンファシン、酒石酸水素ヒドロコドンＣＲ、ヒドロコドン＋アセトアミノフェン、ヒドロコルチゾン、ヒドロモルホンＨｃｌ、ヒドロキシジン、オトギリソウ抽出物、イブプロフェン、インドメタシン、ケトロラック、ラコサミド、ラモトリジン、ラモトリジンＣＤＴ、ラモトリジンＯＤＴ、ラモトリジンＸＲ、レベチラセタム、レベチラセタムＩＲ、レベチラセタムＸＲ、レボミルナシプラン、レボサルブタモール、リドカインパッチ、リドカイン／テトラカイン、リスデックスフェタミン、炭酸リチウム、ロラゼパム、ロルカセリン、塩酸塩、ロサルタン、ロキサピン、メクリジン、メロキシカム、メタキサロン、メチルフェニデート、塩酸メチルフェニデート、メチルフェニデートＬＡ、メチルフェニデートＭＲ、メチルフェニデートパッチ、ミルナシプラン、ミルタザピン、モダフィニル、モルヒネ、モルヒネＣＲ、モルヒネＥＲ、ナビロン、ナドロール、ナルトレキソン、ナプロキセン、ナラトリプタン、ネドクロミル、ネファゾドン、ニトログリセリン、ニトログリセリ���軟膏、オランザピン、オランザピンＩＭ、オランザピンＬＡ、オンダンセトロン、オンダンセトロンＯＤＦＳ、オンダンセトロンＯＤＴ、オルリスタット、オキサプロジン、オキシカルバゼピン、オキシカルバゼピンＥＲ、オキシブチニン、オキシブチニンゲル、オキシコドン、オキシコドン＋アセトアミノフェン、オキシコドン塩酸塩、オキシコドンＩＲ、オキシモルホン、オキシモルホンＥＲ、パロノセトロン、パミドロネート、パロキセチン、パロキセチンメシレート、ペランパネル、フェンテルミン＋トピラメート、フェンテルミン塩酸塩、フェントラミンメシレート、プラミペキソール、プラミペキソール‐Ｅｒ、プラスグレル、プラゼパム、プレドニゾン、プレガバリン、プロメタジン、プロポフォール、クエチアピン、フマル酸クエチアピン、フマル酸クエチアピンＸＲ、ラメルテオン、ラサギリンメシレート、レミフェンタニル、リスペリドン、酒石酸リバスチグミン、リザトリプタン、ロピニロール、ロピニロールＸＬ、ロピバカイン、ロチゴチン、ルフィナミド、サルブタモール、スコポラミン、セレギリン、セレギリンＯＤＴ、セレギリン経皮、セルトラリン、ナトリウムオキシベート、ストロンチウム、スフェンタニル‐Ｅｎｔ、スマトリプタン自動注入装置、スマトリプタン無針、コハク酸スマトリプタン、スボレキサント、タペンタドール、タペンタドールＥＲ、タシメルテオン、テマゼパム、テストステロン、テトラカイン＋リドカイン、テオフィリン、チアガビン、チオトロピウム、チロフィバンＨｃＬ、トルカポン、トピラメート、トピラメートＸＲ、トラマドール、トラマドール＋アセトアミノフェン、トラマドールＥＲ、トラゾドンＣｒ、トリアゾラム、マレイン酸トリミプラミン、バルプロ酸セミナトリウムＥＲ、バルプロ酸ナトリウム、ベンラファキシン、ベンラファキシンＥＲ、ビガバトリン、ビラゾドン、ボルチオキセチン、ザレプロン、ジレウトン、ジプラシドン、ゾルミトリプタン経口、ゾルミトリプタンＺＭＴ、ゾルピデム、ゾルピデムスプレー、酒石酸ゾルピデムＣＲ、酒石酸ゾルピデム低用量ＳＬ、酒石酸ゾルピデムＳＬ、酢酸ノルエチステロン（ＮＥＴＡ）、エナプリル、エチニルエストラジオール、インスリン、メマンチン、メタンフェタミン、ノルエルゲストロミン、ペルゴリド、ラミプリル、タクリン、チモロール、トルテロジン、及びゾニサミドからなる群から選択される、付記１〜３４のいずれか１項に記載のシステム。
〔付記３６〕
生物活性剤をユーザに送達するための方法であって、
前記方法は：
送達システムの再使用式部品を、前記送達システムの使い捨て部品に接続するステップ；
前記接続ステップ中に、前記使い捨て部品の作用剤リザーバから延在するばねを圧縮して、前記作用剤リザーバ内の生物活性剤を加圧するステップ；
前記再使用式部品内の弁ドライバを作動させて、前記使い捨て部品内の弁を第１の位置に移動させることにより、生物活性剤を前記作用剤リザーバからボーラスチャンバへと移送するステップ；及び
前記弁ドライバを作動させて、前記弁を第２の位置に移動させることにより、生物活性剤を前記ボーラスチャンバから作用剤流出口へと移送するステップ
を含む、方法。
〔付記３７〕
前記使い捨て部品は、前記作用剤流出口と連通した経皮パッチを備え、
前記方法は、生物活性剤を前記ボーラスチャンバから前記経皮パッチへと移送するステップを更に含む、付記３６に記載の方法。
〔付記３８〕
前記使い捨て部品は溶媒回収チャンバを更に備え、
前記生物活性剤は、溶媒中に溶解され、
前記方法は、気相溶媒を前記経皮パッチから前記溶媒回収チャンバ内へと受け取るステップを更に含む、付記３７に記載の方法。
〔付記３９〕
前記使い捨て部品は、蒸気透過膜を更に備え、
前記受け取るステップは、気相溶媒を、前記蒸気透過膜を通して、前記溶媒回収チャンバ内へと移動させるステップを含む、付記３７又は３８に記載の方法。
〔付記４０〕
前記経皮パッチは、平均細孔直径約０．０２μｍ〜約０．１０μｍの複数の細孔を有するポリプロピレン膜を備える、付記３７〜３９のいずれか１項に記載の方法。
〔付記４１〕
前記生物活性剤は、アルコール及び水を約４０：６０〜約６０：４０の水：アルコール比で含む溶液中に溶解される、付記４０に記載の方法。
〔付記４２〕
前記ばねは第１のばねであり、
前記方法は、前記ボーラスチャンバから延在する第２のばねを圧縮して、前記ボーラスチャンバ内の生物活性剤を加圧するステップを更に含む、付記３６〜４１のいずれか１項に記載の方法。
〔付記４３〕
前記システムは、前記ボーラスチャンバ内で移動可能に配置されたピストンを更に備え、
前記方法は、前記第２のばねを用いて前記ピストンを移動させて、生物活性剤を前記ボーラスチャンバから前記作用剤流出口へと移動させるステップを更に含む、付記４２に記載の方法。
〔付記４４〕
前記第２のばねは、前記接続ステップ中に圧縮される、付記４２に記載の方法。
〔付記４５〕
前記第２のばねは、生物活性剤が前記作用剤リザーバから前記ボーラスチャンバへと移送される際に圧縮される、付記４２に記載の方法。
〔付記４６〕
前記弁は、前記作動ステップ中に、６０°〜９０°（上限値及び下限値を含む）回転する、付記３６〜４５のいずれか１項に記載の方法。
〔付記４７〕
前記接続ステップ中に又は前記接続ステップ後に、遠隔デバイスに対して、前記使い捨て部品が前記再使用式部品に接続されたことの示徴を、提供するステップを更に含む、付記３６〜４６のいずれか１項に記載の方法。
〔付記４８〕
示徴を提供する前記ステップは、接続情報を前記遠隔デバイスに無線送信するステップを含む、付記４７に記載の方法。
〔付記４９〕
前記使い捨て部品が前記再使用式部品に接続されたことを示すために、前記接続ステップ中にスイッチを起動するステップを更に含む、付記４７に記載の方法。
〔付記５０〕
前記再使用式部品の導電性要素を前記使い捨て部品の導電性要素と接触させることによって、前記接続ステップ中に回路を閉鎖するステップを更に含む、付記４７に記載の方法。
〔付記５１〕
前記導電性要素のうちの少なくとも１つは、導電性エラストマである、付記５０に記載の方法。
〔付記５２〕
前記再使用式部品上の入力要素を作動させることによって、前記生物活性剤の送達をプログラムするステップを更に含む、付記３６〜５１のいずれか１項に記載の方法。
〔付記５３〕
前記使い捨て部品を交換する必要があることの示徴を生成するステップを更に含む、付記３６〜５２のいずれか１項に記載の方法。
〔付記５４〕
前記生成ステップは、前記使い捨て部品を前記再使用式部品に接続した後に経過した時間を監視して、所定の時間後に、前記使い捨て部品を交換する必要があることの示徴を提供するステップを含む、付記５３に記載の方法。
〔付記５５〕
前記送達システムの動作に関する情報を前記再使用式部品から遠隔デバイスへと送信するステップを更に含む、付記３６〜５４のいずれか１項に記載の方法。
〔付記５６〕
前記システムは、前記作用剤リザーバ内に配置されたピストンを更に備え、
前記方法は、前記ばねを用いて前記ピストンを移動させて、生物活性剤を前記作用剤リザーバから前記ボーラスチャンバへと移動させるステップを更に含む、付記３６に記載の方法。
〔付記５７〕
前記ユーザが渇望を経験中であることを示す前記ユーザからの入力を、前記再使用式部品上で受信するステップを更に含む、付記３６〜５６のいずれか１項に記載の方法。
〔付記５８〕
前記入力の示徴を遠隔デバイスに無線送信するステップを更に含む、付記５７に記載の方法。
〔付記５９〕
前記渇望を示す前記ユーザからの前記入力に応答して、心理的サポートを示す無線信号を受信するステップを更に含む、付記５８に記載の方法。
〔付記６０〕
前記心理的サポートを、前記再使用式部品のディスプレイ上に表示するステップを更に含む、付記５９に記載の方法。
〔付記６１〕
前記心理的サポートを前記遠隔デバイス上に表示するステップを更に含む、付記５９に記載の方法。
〔付記６２〕
前記生物活性剤は：アカンプロセート、アセトアミノフェン、アセトアミノフェン＋オキシコドン、アレビシンＳＧ、アルフェンタニル、アロプリノール、アルモトリプタン、アルプラゾラム、アルプラゾラムＸＲ、アミトリプチリン、アモキサピン、アポモルヒネ、アリピプラゾール、アルモダフィニル、マレイン酸アセナピン、アトモキセチン、アゼラスチンＨＣＬ、バクロフェン、ベンズブロマロン、ベンジダミン、ブレキスピラゾール、ブデソニド、ブピバカイン、ブプレノルフィン、ブプレノルフィン＋ナロキソン、ブプロピオン、臭化水素酸ブプロピオン、塩酸ブプロピオン、ブプロピオンＳＲ、ブプロピオンＸＲ、ブスピロン、カベルゴリン、カプサイシン、カルバマゼピンＣＲ、カルバマゼピンＸＲ、カルビドパ＋レボドパＥｒ、カリソプロドール、セレコキシブ、シタロプラム、クロバザム、クロナゼパム、クロニジンパッチ、クロニジンＳＲ、クロピドグレル、コルヒチン、シクロベンザプリンＥＲ、シクロベンザプリンＰＯ、ダルテパリンナトリウム、デスベンラファキシン、デスベンラファキシンＥＲ、デキサムフェタミン、デキスメチルフェニデートＨｃｌ、デキスメチルフェニデートＨｃｌ  ＬＡ、ジアゼパム、ジクロフェナク、ジクロフェナクゲル、ジクロフェナクＩＲ、ジクロフェナクＩＶ、ジクロフェナクカリウムＩＲ、ジクロフェナクカリウムＸＲ、ジクロフェナク経皮、ジスルフィラム、ジバルプロエクスナトリウム、ドラセトロンメシレート、ドキセピン、ドロナビノール、ドロキシドパ、デュロキセチン、エレトリプタン、エンタカポン、シュウ酸エスシタロプラム、エスリカルバゼピンアセテート、エソメプラゾール／ナプロキセン、エストラジオール、エストロゲン、エスゾピクロン、エトスクシミド、エトドラク、エゾガビン、フェブキソスタット、フェルバメート、フェンブフェン、クエン酸フェンタニル、フェンタニル経口、フェンタニルパッチ、フェンタニルＳＬ、フルニソリド、フルオロウラシル、フルオキセチン、プロピオン酸フルチカゾン、フルボキサミンＣｒ、フォルモテロール、ホスフェニトイン、フロバトリプタン、ガバペンチン、ガバペンチンＥＲ、グラニセトロンＥＲ、グアンファシン、酒石酸水素ヒドロコドンＣＲ、ヒドロコドン＋アセトアミノフェン、ヒドロコルチゾン、ヒドロモルホンＨｃｌ、ヒドロキシジン、オトギリソウ抽出物、イブプロフェン、インドメタシン、ケトロラック、ラコサミド、ラモトリジン、ラモトリジンＣＤＴ、ラモトリジンＯＤＴ、ラモトリジンＸＲ、レベチラセタム、レベチラセタムＩＲ、レベチラセタムＸＲ、レボミルナシプラン、レボサルブタモール、リドカインパッチ、リドカイン／テトラカイン、リスデックスフェタミン、炭酸リチウム、ロラゼパム、ロルカセリン、塩酸塩、ロサルタン、ロキサピン、メクリジン、メロキシカム、メタキサロン、メチルフェニデート、塩酸メチルフェニデート、メチルフェニデートＬＡ、メチルフェニデートＭＲ、メチルフェニデートパッチ、ミルナシプラン、ミルタザピン、モダフィニル、モルヒネ、モルヒネＣＲ、モルヒネＥＲ、ナビロン、ナドロール、ナルトレキソン、ナプロキセン、ナラトリプタン、ネドクロミル、ネファゾドン、ニトログリセリン、ニトログリセリ���軟膏、オランザピン、オランザピンＩＭ、オランザピンＬＡ、オンダンセトロン、オンダンセトロンＯＤＦＳ、オンダンセトロンＯＤＴ、オルリスタット、オキサプロジン、オキシカルバゼピン、オキシカルバゼピンＥＲ、オキシブチニン、オキシブチニンゲル、オキシコドン、オキシコドン＋アセトアミノフェン、オキシコドン塩酸塩、オキシコドンＩＲ、オキシモルホン、オキシモルホンＥＲ、パロノセトロン、パミドロネート、パロキセチン、パロキセチンメシレート、ペランパネル、フェンテルミン＋トピラメート、フェンテルミン塩酸塩、フェントラミンメシレート、プラミペキソール、プラミペキソール‐Ｅｒ、プラスグレル、プラゼパム、プレドニゾン、プレガバリン、プロメタジン、プロポフォール、クエチアピン、フマル酸クエチアピン、フマル酸クエチアピンＸＲ、ラメルテオン、ラサギリンメシレート、レミフェンタニル、リスペリドン、酒石酸リバスチグミン、リザトリプタン、ロピニロール、ロピニロールＸＬ、ロピバカイン、ロチゴチン、ルフィナミド、サルブタモール、スコポラミン、セレギリン、セレギリンＯＤＴ、セレギリン経皮、セルトラリン、ナトリウムオキシベート、ストロンチウム、スフェンタニル‐Ｅｎｔ、スマトリプタン自動注入装置、スマトリプタン無針、コハク酸スマトリプタン、スボレキサント、タペンタドール、タペンタドールＥＲ、タシメルテオン、テマゼパム、テストステロン、テトラカイン＋リドカイン、テオフィリン、チアガビン、チオトロピウム、チロフィバンＨｃＬ、トルカポン、トピラメート、トピラメートＸＲ、トラマドール、トラマドール＋アセトアミノフェン、トラマドールＥＲ、トラゾドンＣｒ、トリアゾラム、マレイン酸トリミプラミン、バルプロ酸セミナトリウムＥＲ、バルプロ酸ナトリウム、ベンラファキシン、ベンラファキシンＥＲ、ビガバトリン、ビラゾドン、ボルチオキセチン、ザレプロン、ジレウトン、ジプラシドン、ゾルミトリプタン経口、ゾルミトリプタンＺＭＴ、ゾルピデム、ゾルピデムスプレー、酒石酸ゾルピデムＣＲ、酒石酸ゾルピデム低用量ＳＬ、酒石酸ゾルピデムＳＬ、酢酸ノルエチステロン（ＮＥＴＡ）、エナプリル、エチニルエストラジオール、インスリン、メマンチン、メタンフェタミン、ノルエルゲストロミン、ペルゴリド、ラミプリル、タクリン、チモロール、トルテロジン、及びゾニサミドからなる群から選択される、付記３６〜６１のいずれか１項に記載の方法。
〔付記６３〕
生物活性剤送達システムであって、
前記システムは：
生物活性剤とアルコール及び水を含む溶媒溶液とを含む作用剤リザーバであって、前記溶媒溶液は、約４０：６０〜６０：４０の水：アルコール比を有する、作用剤リザーバ；
前記生物活性剤送達システムの装用者の皮膚に接触するよう構成された複数の細孔を有するポリプロピレンを含む膜；
蒸気透過膜であって、蒸気相の水及びアルコールに前記蒸気透過膜を通過させるよう構成され、かつ前記膜と流体連通する、蒸気透過膜；並びに
前記作用剤リザーバから延在し、かつ前記膜と流体連通する、送達導管であって、前記送達導管は、１用量の前記生物活性剤及び前記溶媒溶液を前記作用剤リザーバから前記膜に供給するよう構成される、送達導管
を備える、生物活性剤送達システム。
〔付記６４〕
ポリプロピレンを含む前記膜の平均細孔直径は、約０．０２μｍ〜約０．１０μｍである、付記６３に記載のシステム。
〔付記６５〕
生物活性剤送達システムであって、
前記システムは：
生物活性剤及び溶媒溶液を含む作用剤リザーバ；
前記生物活性剤送達システムの装用者の皮膚に接触するよう構成された複数の細孔を有するポリプロピレンを含む膜であって、前記複数の細孔は、平均細孔直径約０．０２μｍ〜約０．１０μｍである、膜；
蒸気透過膜であって、蒸気相の前記溶媒溶液に前記蒸気透過膜を通過させるよう構成され、かつ前記膜と流体連通する、蒸気透過膜；並びに
前記作用剤リザーバから延在し、かつ前記膜と流体連通する、送達導管であって、前記送達導管は、１用量の前記生物活性剤及び前記溶媒溶液を前記作用剤リザーバから前記膜に供給するよう構成される、送達導管
を備える、生物活性剤送達システム。
〔付記６６〕
前記溶媒溶液は、アルコール及び水を含み、
前記溶媒溶液は、約４０：６０〜約６０：４０の水：アルコール比を有する、付記６５に記載のシステム。
〔付記６７〕
生物活性剤送達システムであって、
前記システムは：
生物活性剤と、アルコール及び水を含む溶媒溶液とを内包する、作用剤リザーバであって、前記溶媒溶液は、約４０：６０〜約６０：４０の水：アルコール比を有する、作用剤リザーバ；
前記生物活性剤送達システムの装用者の皮膚に接触するよう構成された複数の細孔を有する、ポリプロピレンを含む膜；
蒸気透過膜であって、蒸気相の水及びアルコールに前記蒸気透過膜を通過させるよう構成され、かつ前記膜と流体連通する、蒸気透過膜；
前記作用剤リザーバから延在し、かつ前記膜と流体連通する、送達導管であって、前記送達導管は、１用量の前記生物活性剤及び前記溶媒溶液を前記作用剤リザーバから前記膜に供給するよう構成される、送達導管；並びに
前記生物活性剤送達システムを制御して、１用量の前記生物活性剤及び前記溶媒溶液を前記作用剤リザーバから前記膜へと供給するよう構成された、制御ユニットであって、前記制御ユニットは更に、前記生物活性剤送達システムの装用者に対して生物同期（ｂｉｏ‐ｓｙｎｃｈｒｏｎｏｕｓ）薬剤送達を提供するよう構成される、制御ユニット
を備える、生物活性剤送達システム。
〔付記６８〕
前記制御ユニットは更に、前記生物活性剤の投与の時点、前記生物活性剤の投薬量、及び投薬を停止した時点を記録するよう構成される、付記６７に記載の生物活性剤送達システム。
〔付記６９〕
前記生物活性剤の投与の前記時点、前記生物活性剤の前記投薬量、及び投薬を停止した前記時点を、遠隔ネットワーク又はデバイスに無線送信するよう構成された、無線データ送信ユニットを更に備える、付記６８に記載の生物活性剤送達システム
〔付記７０〕
前記作用剤リザーバが前記生物活性剤送達システムにいつ接続されたかを決定するよう構成された、センサを更に備える、付記６７〜６９のいずれか１項に記載の生物活性剤送達システム。
〔付記７１〕
前記制御ユニットは、前記生物同期薬剤送達プロトコル中に装用者データを収集して、前記患者データに基づいて心理的サポートを提供するよう構成される、付記６７〜７０のいずれか１項に記載の生物活性剤送達システム。
〔付記７２〕
前記溶媒溶液は、約４５：５５〜約５５：４５の水：アルコール比を有する、付記６３、６４、６６〜７１のいずれか１項に記載のシステム。
〔付記７３〕
前記溶媒溶液は、約４６：５４〜約５４：４６の水：アルコール比を有する、付記６３、６４、６６〜７２のいずれか１項に記載のシステム。
〔付記７４〕
前記溶媒溶液は、約４７：５３〜約５３：４７の水：アルコール比を有する、付記６３、６４、６６〜７３のいずれか１項に記載のシステム。
〔付記７５〕
前記溶媒溶液は、約４８：５２〜約５２：４８の水：アルコール比を有する、付記６３、６４、６６〜７４のいずれか１項に記載のシステム。
〔付記７６〕
前記溶媒溶液は、約４９：５１〜約５１：４９の水：アルコール比を有する、付記６３、６４、６６〜７５のいずれか１項に記載のシステム。
〔付記７７〕
前記溶媒溶液は：界面活性剤；賦形剤；又は透過の増強若しくは皮膚感受性若しくは皮膚応答の低減を目的とした他の成分のうちの１つ又は複数を含む、付記６３、６４、６６〜７６のいずれか１項に記載のシステム。
〔付記７８〕
作用剤リザーバであって、前記作用剤リザーバは、チャンバ内で移動可能に配置されたピストンを備える、作用剤リザーバと、ボーラスチャンバであって、前記ボーラスチャンバは、チャンバ内で移動可能に配置されたピストンを備え、前記ボーラスチャンバの容積は、前記作用剤リザーバの容積未満である、ボーラスチャンバと、前記作用剤リザーバと前記ボーラスチャンバとを連通させる第１の位置及び前記ボーラスチャンバと前記送達導管とを連通させる第２の位置を有する弁とを備える、使い捨て部品；並びに
弁ドライバと、電源と、電子制御装置であって、前記電子制御装置は、前記弁を作動させて生物活性剤を前記作用剤リザーバから前記送達導管へと送達するよう、前記弁ドライバを制御するよう適合される、電子制御装置とを備える、再使用式部品
を更に備える、付記６３〜７７のいずれか１項に記載のシステム。
〔付記７９〕
前記膜の前記複数の細孔は、非円形断面を有する、付記６３〜７８のいずれか１項に記載のシステム。
〔付記８０〕
前記膜の前記複数の細孔は、ある縦方向断面を有する縦方向スリットを含む、付記６３〜７９のいずれか１項に記載のシステム。
〔付記８１〕
前記膜は、皮膚に接触するよう構成された表面積を含み、
前記複数の細孔は、前記膜の表面積の約２５％〜約７５％の開口表面積を有する、付記６３〜８０のいずれか１項に記載のシステム。
〔付記８２〕
前記膜は、前記皮膚に接触するよう構成された表面積を含み、
前記複数の細孔は、前記膜の前記表面積の約３５％〜約４５％の開口表面積を有する、付記６３〜８１のいずれか１項に記載のシステム。
〔付記８３〕
前記膜は、前記皮膚に接触するよう構成された表面積を含み、
前記複数の細孔は、前記膜の前記表面積の約４０％〜約４２％の開口表面積を有する、付記６３〜８２のいずれか１項に記載のシステム。
〔付記８４〕
前記アルコールは：イソプロパノール、エタノール及びメタノールからなる群から選択される、付記６３、６４、６６〜８３のいずれか１項に記載のシステム。
〔付記８５〕
前記アルコールはエタノールを含む、付記６３、６４、６６〜８４のいずれか１項に記載のシステム。
〔付記８６〕
前記膜と連通する溶媒回収チャンバを更に備え、
前記溶媒回収チャンバは、前記膜から蒸気相溶媒溶液を受け取るよう適合される、付記６３〜８５のいずれか１項に記載のシステム。
〔付記８７〕
前記溶媒回収チャンバ内に配置された乾燥剤を更に備える、付記８６に記載のシステム。
〔付記８８〕
前記溶媒回収チャンバ内に配置された、前記溶媒溶液を吸収するよう適合された吸収材を更に備える、付記８６に記載のシステム。
〔付記８９〕
前記蒸気透過膜の平均細孔サイズは、約１０ミクロン未満である、付記６３〜８８のいずれか１項に記載のシステム。
〔付記９０〕
前記蒸気透過膜は、ある表面積を含み、
前記蒸気透過膜の複数の細孔は、前記蒸気透過膜の前記表面積の約５０％以下の開口表面積を有する、付記６３〜８９のいずれか１項に記載のシステム。
〔付記９１〕
前記送達導管は、前記１用量の前記生物活性剤及び前記溶媒溶液を、前記膜と前記蒸気透過膜との間の空間へと供給するよう構成される、付記６３〜９０のいずれか１項に記載のシステム。
〔付記９２〕
前記送達導管は、前記１用量の前記生物活性剤及び前記溶媒溶液を、前記膜の略中心に位置するセクションへと供給するよう構成される、付記９１に記載のシステム。
〔付記９３〕
前記送達導管は、前記１用量の前記生物活性剤及び前記溶媒溶液を、前記膜の中心外セクションへと供給するよう構成される、付記９１に記載のシステム。
〔付記９４〕
前記膜の表面積は約１５ｃｍ２未満である、付記６３〜９３のいずれか１項に記載のシステム。
〔付記９５〕
前記膜の表面積は約１０ｃｍ２未満である、付記６３〜９４のいずれか１項に記載のシステム。
〔付記９６〕
前記膜の表面積は約１５ｃｍ２〜約３０ｃｍ２である、付記６３〜９５のいずれか１項に記載のシステム。
〔付記９７〕
前記送達導管は、前記１用量の前記生物活性剤及び前記溶媒溶液を、第１のリザーバから前記作用剤リザーバへと移動させるよう構成される、付記６３〜９６のいずれか１項に記載のシステム。
〔付記９８〕
前記作用剤リザーバの容積は、約５マイクロリットル〜約３ミリリットルである、付記６３〜９７のいずれか１項に記載のシステム。
〔付記９９〕
前記作用剤リザーバの容積は、約２５０μＬ未満である、付記６３〜９８のいずれか１項に記載のシステム。
〔付記１００〕
送達コントローラを更に備え、
前記膜は、ある表面積を有し、前記送達コントローラ及び前記送達導管は、前記膜の表面積１０ｃｍ２あたり約２５０μＬ未満の体積の前記用量を提供するよう構成される、付記６３〜９９のいずれか１項に記載のシステム。
〔付記１０１〕
送達コントローラを更に備え、
前記膜は、ある表面積を有し、
前記送達コントローラ及び前記送達導管は、前記膜の表面積１０ｃｍ２あたり約７５μＬ〜約２５０μＬ未満の体積の前記用量を提供するよう構成される、付記６３〜１００のいずれか１項に記載のシステム。
〔付記１０２〕
送達コントローラを更に備え、
前記膜は、ある表面積を有し、
前記送達コントローラ及び前記送達導管は、前記膜の表面積１０ｃｍ２あたり約１５０μＬ未満の体積の前記用量を提供するよう構成される、付記６３〜１０１のいずれか１項に記載のシステム。
〔付記１０３〕
前記生物活性剤はニコチンを含む、付記６３〜１０２のいずれか１項に記載のシステム。
〔付記１０４〕
前記溶媒溶液中の前記ニコチンの濃度は、約０．５体積％〜約２０体積％である、付記１０３に記載のシステム。
〔付記１０５〕
前記システムは、前記生物活性剤及び前記溶媒溶液を含む前記作用剤リザーバを備える、取り外し式部分を含む、付記６３〜１０４のいずれか１項に記載のシステム。
〔付記１０６〕
前記取り外し式部分は更に、前記生物活性剤及び前記溶媒溶液を前記作用剤リザーバに供給するよう構成された、生物活性剤ソースリザーバを備える、付記１０５に記載のシステム。
〔付記１０７〕
前記生物活性剤ソースリザーバは、約３ｍｌ未満の容積を有する、付記１０５に記載のシステム。
〔付記１０８〕
前記取り外し式部分が生物活性剤送達システムにいつ接続されたかを決定するよう構成された、センサを更に備える、付記１０５〜１０７のいずれか１項に記載のシステム。
〔付記１０９〕
前記生物活性剤送達システムを制御して、前記１用量の前記生物活性剤及び前記溶媒溶液を前記作用剤リザーバから前記膜へと供給するよう構成された、制御ユニットを更に備え、
前記制御ユニットは更に、生物同期薬剤送達プロトコルを前記生物活性剤送達システムの装用者に提供するよう構成される、付記６３〜６６及び７３〜１０８のいずれか１項に記載のシステム。
〔付記１１０〕
前記制御ユニットは更に、前記生物活性剤の投与の時点、前記生物活性剤の投薬量、及び投薬を停止した時点を記録するよう構成される、付記１０９に記載のシステム。
〔付記１１１〕
前記生物活性剤の投与の前記時点、前記生物活性剤の前記投薬量、及び投薬を停止した前記時点を、遠隔ネットワーク又はデバイスに無線送信するよう構成された、無線データ送信ユニットを更に備える、付記１１０に記載のシステム。
〔付記１１２〕
前記制御ユニットは、前記生物同期薬剤送達プロトコル中に装用者データを収集して、前記患者データに基づいて心理的サポートを提供するよう構成される、付記１０９〜１１１のいずれか１項に記載のシステム。
〔付記１１３〕
前記膜は経皮膜である、付記６３〜１１２のいずれか１項に記載のシステム。
〔付記１１４〕
前記生物活性剤は：アカンプロセート、アセトアミノフェン、アセトアミノフェン＋オキシコドン、アレビシンＳＧ、アルフェンタニル、アロプリノール、アルモトリプタン、アルプラゾラム、アルプラゾラムＸＲ、アミトリプチリン、アモキサピン、アポモルヒネ、アリピプラゾール、アルモダフィニル、マレイン酸アセナピン、アトモキセチン、アゼラスチンＨＣＬ、バクロフェン、ベンズブロマロン、ベンジダミン、ブレキスピラゾール、ブデソニド、ブピバカイン、ブプレノルフィン、ブプレノルフィン＋ナロキソン、ブプロピオン、臭化水素酸ブプロピオン、塩酸ブプロピオン、ブプロピオンＳＲ、ブプロピオンＸＲ、ブスピロン、カベルゴリン、カプサイシン、カルバマゼピンＣＲ、カルバマゼピンＸＲ、カルビドパ＋レボドパＥｒ、カリソプロドール、セレコキシブ、シタロプラム、クロバザム、クロナゼパム、クロニジンパッチ、クロニジンＳＲ、クロピドグレル、コルヒチン、シクロベンザプリンＥＲ、シクロベンザプリンＰＯ、ダルテパリンナトリウム、デスベンラファキシン、デスベンラファキシンＥＲ、デキサムフェタミン、デキスメチルフェニデートＨｃｌ、デキスメチルフェニデートＨｃｌ  ＬＡ、ジアゼパム、ジクロフェナク、ジクロフェナクゲル、ジクロフェナクＩＲ、ジクロフェナクＩＶ、ジクロフェナクカリウムＩＲ、ジクロフェナクカリウムＸＲ、ジクロフェナク経皮、ジスルフィラム、ジバルプロエクスナトリウム、ドラセトロンメシレート、ドキセピン、ドロナビノール、ドロキシドパ、デュロキセチン、エレトリプタン、エンタカポン、シュウ酸エスシタロプラム、エスリカルバゼピンアセテート、エソメプラゾール／ナプロキセン、エストラジオール、エストロゲン、エスゾピクロン、エトスクシミド、エトドラク、エゾガビン、フェブキソスタット、フェルバメート、フェンブフェン、クエン酸フェンタニル、フェンタニル経口、フェンタニルパッチ、フェンタニルＳＬ、フルニソリド、フルオロウラシル、フルオキセチン、プロピオン酸フルチカゾン、フルボキサミンＣｒ、フォルモテロール、ホスフェニトイン、フロバトリプタン、ガバペンチン、ガバペンチンＥＲ、グラニセトロンＥＲ、グアンファシン、酒石酸水素ヒドロコドンＣＲ、ヒドロコドン＋アセトアミノフェン、ヒドロコルチゾン、ヒドロモルホンＨｃｌ、ヒドロキシジン、オトギリソウ抽出物、イブプロフェン、インドメタシン、ケトロラック、ラコサミド、ラモトリジン、ラモトリジンＣＤＴ、ラモトリジンＯＤＴ、ラモトリジンＸＲ、レベチラセタム、レベチラセタムＩＲ、レベチラセタムＸＲ、レボミルナシプラン、レボサルブタモール、リドカインパッチ、リドカイン／テトラカイン、リスデックスフェタミン、炭酸リチウム、ロラゼパム、ロルカセリン、塩酸塩、ロサルタン、ロキサピン、メクリジン、メロキシカム、メタキサロン、メチルフェニデート、塩酸メチルフェニデート、メチルフェニデートＬＡ、メチルフェニデートＭＲ、メチルフェニデートパッチ、ミルナシプラン、ミルタザピン、モダフィニル、モルヒネ、モルヒネＣＲ、モルヒネＥＲ、ナビロン、ナドロール、ナルトレキソン、ナプロキセン、ナラトリプタン、ネドクロミル、ネファゾドン、ニトログリセリン、ニトログリセリ���軟膏、オランザピン、オランザピンＩＭ、オランザピンＬＡ、オンダンセトロン、オンダンセトロンＯＤＦＳ、オンダンセトロンＯＤＴ、オルリスタット、オキサプロジン、オキシカルバゼピン、オキシカルバゼピンＥＲ、オキシブチニン、オキシブチニンゲル、オキシコドン、オキシコドン＋アセトアミノフェン、オキシコドン塩酸塩、オキシコドンＩＲ、オキシモルホン、オキシモルホンＥＲ、パロノセトロン、パミドロネート、パロキセチン、パロキセチンメシレート、ペランパネル、フェンテルミン＋トピラメート、フェンテルミン塩酸塩、フェントラミンメシレート、プラミペキソール、プラミペキソール‐Ｅｒ、プラスグレル、プラゼパム、プレドニゾン、プレガバリン、プロメタジン、プロポフォール、クエチアピン、フマル酸クエチアピン、フマル酸クエチアピンＸＲ、ラメルテオン、ラサギリンメシレート、レミフェンタニル、リスペリドン、酒石酸リバスチグミン、リザトリプタン、ロピニロール、ロピニロールＸＬ、ロピバカイン、ロチゴチン、ルフィナミド、サルブタモール、スコポラミン、セレギリン、セレギリンＯＤＴ、セレギリン経皮、セルトラリン、ナトリウムオキシベート、ストロンチウム、スフェンタニル‐Ｅｎｔ、スマトリプタン自動注入装置、スマトリプタン無針、コハク酸スマトリプタン、スボレキサント、タペンタドール、タペンタドールＥＲ、タシメルテオン、テマゼパム、テストステロン、テトラカイン＋リドカイン、テオフィリン、チアガビン、チオトロピウム、チロフィバンＨｃＬ、トルカポン、トピラメート、トピラメートＸＲ、トラマドール、トラマドール＋アセトアミノフェン、トラマドールＥＲ、トラゾドンＣｒ、トリアゾラム、マレイン酸トリミプラミン、バルプロ酸セミナトリウムＥＲ、バルプロ酸ナトリウム、ベンラファキシン、ベンラファキシンＥＲ、ビガバトリン、ビラゾドン、ボルチオキセチン、ザレプロン、ジレウトン、ジプラシドン、ゾルミトリプタン経口、ゾルミトリプタンＺＭＴ、ゾルピデム、ゾルピデムスプレー、酒石酸ゾルピデムＣＲ、酒石酸ゾルピデム低用量ＳＬ、酒石酸ゾルピデムＳＬ、酢酸ノルエチステロン（ＮＥＴＡ）、エナプリル、エチニルエストラジオール、インスリン、メマンチン、メタンフェタミン、ノルエルゲストロミン、ペルゴリド、ラミプリル、タクリン、チモロール、トルテロジン、及びゾニサミドからなる群から選択される、付記６３〜１０１、１０５〜１１３のいずれか１項に記載の生物活性剤送達システム。
〔付記１１５〕
生物活性剤を供給するための方法であって、
前記方法は：
アルコール及び水を含む溶媒溶液中の生物活性剤を、薬剤送達デバイスの作用剤リザーバから、前記薬剤送達デバイスの膜と接触するよう移動させるステップであって、前記溶媒溶液は約４０：６０〜約６０：４０の水：アルコール比を有し、前記薬剤送達デバイスは装用者の皮膚と接触し、前記膜は、前記装用者の前記皮膚に接触するよう構成された複数の細孔を有するポリプロピレンを含む、ステップ；
生物活性剤に、前記装用者の前記皮膚に接触する前記膜の前記複数の細孔を通過させるステップ；並びに
液相溶媒溶液が前記薬剤送達デバイスの蒸気透過膜を通過するのを防止しながら、蒸気相溶媒溶液に、前記蒸気透過膜を通過させるステップ
を含む、方法。
〔付記１１６〕
前記蒸気相溶媒溶液を通過させる前記ステップは、前記蒸気相溶媒溶液を、前記蒸気透過膜を通して、前記薬剤送達デバイスの溶媒回収チャンバ内へと移動させるステップを含む、付記１１５に記載の方法。
〔付記１１７〕
前記溶媒溶液を、前記溶媒回収チャンバ内に配置された乾燥剤を用いて回収するステップを更に含む、付記１１６に記載の方法。
〔付記１１８〕
前記溶媒溶液を、前記溶媒回収チャンバ内に配置された、前記溶媒溶液を吸収するよう適合された吸収材を用いて回収するステップを更に含む、付記１１７に記載の方法。
〔付記１１９〕
前記溶媒溶液中の前記生物活性剤を移動させる前記ステップは、前記１用量の前記生物活性剤及び前記溶媒溶液を、前記膜と前記蒸気透過膜との間の空間へと供給するステップを含む、付記１１５〜１１８のいずれか１項に記載の方法。
〔付記１２０〕
前記１用量の前記生物活性剤及び前記溶媒溶液は、前記膜の略中心に位置するセクションへと供給される、付記１１９に記載の方法。
〔付記１２１〕
前記１用量の前記生物活性剤及び前記溶媒溶液は、前記膜の中心外セクションへと供給される、付記１１９に記載の方法。
〔付記１２２〕
前記１用量の前記生物活性剤及び前記溶媒溶液は、複数のオリフィスを通して前記膜上へと供給される、付記１１９に記載の方法。
〔付記１２３〕
前記膜の表面積は約１５ｃｍ２未満である、付記１１５〜１２２のいずれか１項に記載の方法。
〔付記１２４〕
前記膜の表面積は約１５ｃｍ２〜３０ｃｍ２である、付記１１５〜１２２のいずれか１項に記載の方法。
〔付記１２５〕
前記膜の表面積は約１０ｃｍ２未満である、付記１１５〜１２２のいずれか１項に記載の方法。
〔付記１２６〕
前記方法は、前記１用量の前記生物活性剤及び前記溶媒溶液を、前記薬剤送達デバイスの第１のリザーバから前記作用剤リザーバへと移動させるステップを含む、付記１１５〜１２５のいずれか１項に記載の方法。
〔付記１２７〕
前記膜は、ある表面積を有し、
前記１用量は、前記膜の表面積１０ｃｍ２あたり約２５０μＬ未満の体積を有する、付記１１５〜１２６のいずれか１項に記載の方法。
〔付記１２８〕
前記膜は、ある表面積を有し、
前記１用量は、前記膜の表面積１０ｃｍ２あたり約７５μＬ〜約２５０μＬの体積を有する、付記１１５〜１２７のいずれか１項に記載の方法。
〔付記１２９〕
前記膜は、ある表面積を有し、
前記１用量は、前記膜の表面積１０ｃｍ２あたり約１５０μＬ未満の体積を有する、付記１１５〜１２８のいずれか１項に記載の方法。
〔付記１３０〕
前記膜は、約０．０２μｍ〜約０．１０μｍの平均細孔直径を有し、
前記生物活性剤を通過させる前記ステップは、前記生物活性剤に、約０．０２μｍ〜約０．１０μｍの平均細孔直径を有する前記複数の細孔を通過させるステップを含む、付記１１５〜１２９のいずれか１項に記載の方法。
〔付記１３１〕
前記溶媒溶液は、約４５：５５〜約５５：４５の水：アルコール比を有する、付記１１５〜１３０のいずれか１項に記載の方法。
〔付記１３２〕
前記溶媒溶液は、約４６：５４〜約５４：４６の水：アルコール比を有する、付記１１５〜１３１のいずれか１項に記載の方法。
〔付記１３３〕
前記溶媒溶液は、約４７：５３〜約５３：４７の水：アルコール比を有する、付記１１５〜１３２のいずれか１項に記載の方法。
〔付記１３４〕
前記溶媒溶液は、約４８：５２〜約５２：４８の水：アルコール比を有する、付記１１５〜１３３のいずれか１項に記載の方法。
〔付記１３５〕
前記溶媒溶液は、約４９：５１〜約５１：４９の水：アルコール比を有する、付記１１５〜１３４のいずれか１項に記載の方法。
〔付記１３６〕
前記膜は、皮膚に接触するよう構成された表面積を含み、
前記複数の細孔は、前記膜の表面積の約３５％〜約６５％の開口表面積を有する、付記１１５〜１３５のいずれか１項に記載の方法。
〔付記１３７〕
前記膜は、前記皮膚に接触するよう構成された表面積を含み、
前記複数の細孔は、前記膜の前記表面積の約３５％〜約４５％の開口表面積を有する、付記１１５〜１３６のいずれか１項に記載の方法。
〔付記１３８〕
前記膜は、前記皮膚に接触するよう構成された表面積を含み、
前記複数の細孔は、前記膜の前記表面積の約４０％〜約４２％の開口表面積を有する、付記１１５〜１３７のいずれか１項に記載の方法。
〔付記１３９〕
前記アルコールは：イソプロパノール、エタノール及びメタノールからなる群から選択される、付記１１５〜１３８のいずれか１項に記載の方法。
〔付記１４０〕
前記アルコールはエタノールを含む、付記１１５〜１３９のいずれか１項に記載の方法。
〔付記１４１〕
前記作用剤リザーバの容積は、約３ｍｌ未満である、付記１１５〜１４０のいずれか１項に記載の方法。
〔付記１４２〕
前記作用剤リザーバの容積は、約２５０μＬ未満である、付記１１５〜１４１のいずれか１項に記載の方法。
〔付記１４３〕
前記溶媒溶液中の前記生物活性剤を、前記作用材リザーバから、前記膜に接触するよう移動させ、また前記生物活性剤に、前記装用者の前記皮膚と接触するよう、前記膜の前記複数の細孔を通過させることによって、生物同期薬剤送達プロトコルを前記装用者に提供するステップを更に含む、付記１１５〜１４２のいずれか１項に記載の方法。
〔付記１４４〕
前記装用者の患者データを集めるステップを更に含む、付記１１５〜１４３のいずれか１項に記載の方法。
〔付記１４５〕
前記患者データは、患者の感情状態データを含む、付記１４４に記載の方法。
〔付記１４６〕
前記患者の感情状態は、渇望を含む、付記１４４に記載の方法。
〔付記１４７〕
前記患者データに基づいて心理的サポートを提供するステップを更に含む、付記１４４〜１４６のいずれか１項に記載の方法。
〔付記１４８〕
前記薬剤送達デバイスが取り外されたかどうか、薬剤送達プロトコルにおける処置が失敗したかどうか、又は前記薬剤送達プロトコルが中断されたかどうかの決定のうちの１つ又は複数によって、装用者のコンプライアンスを分析するステップを更に含む、付記１１５〜１４７のいずれか１項に記載の方法。
〔付記１４９〕
前記生物活性剤を前記装用者に供給することによって、潰瘍性大腸炎を治療するステップを更に含む、付記１１５〜１４８のいずれか１項に記載のシステム。
〔付記１５０〕
前記生物活性剤を前記装用者に供給することによって、パーキンソン病を治療するステップを更に含む、付記１１５〜１４９のいずれか１項に記載のシステム。
〔付記１５１〕
前記生物活性剤はニコチンである、付記１５０に記載の方法。
〔付記１５２〕
前記生物活性剤は：アカンプロセート、アセトアミノフェン、アセトアミノフェン＋オキシコドン、アレビシンＳＧ、アルフェンタニル、アロプリノール、アルモトリプタン、アルプラゾラム、アルプラゾラムＸＲ、アミトリプチリン、アモキサピン、アポモルヒネ、アリピプラゾール、アルモダフィニル、マレイン酸アセナピン、アトモキセチン、アゼラスチンＨＣＬ、バクロフェン、ベンズブロマロン、ベンジダミン、ブレキスピラゾール、ブデソニド、ブピバカイン、ブプレノルフィン、ブプレノルフィン＋ナロキソン、ブプロピオン、臭化水素酸ブプロピオン、塩酸ブプロピオン、ブプロピオンＳＲ、ブプロピオンＸＲ、ブスピロン、カベルゴリン、カプサイシン、カルバマゼピンＣＲ、カルバマゼピンＸＲ、カルビドパ＋レボドパＥｒ、カリソプロドール、セレコキシブ、シタロプラム、クロバザム、クロナゼパム、クロニジンパッチ、クロニジンＳＲ、クロピドグレル、コルヒチン、シクロベンザプリンＥＲ、シクロベンザプリンＰＯ、ダルテパリンナトリウム、デスベンラファキシン、デスベンラファキシンＥＲ、デキサムフェタミン、デキスメチルフェニデートＨｃｌ、デキスメチルフェニデートＨｃｌ  ＬＡ、ジアゼパム、ジクロフェナク、ジクロフェナクゲル、ジクロフェナクＩＲ、ジクロフェナクＩＶ、ジクロフェナクカリウムＩＲ、ジクロフェナクカリウムＸＲ、ジクロフェナク経皮、ジスルフィラム、ジバルプロエクスナトリウム、ドラセトロンメシレート、ドキセピン、ドロナビノール、ドロキシドパ、デュロキセチン、エレトリプタン、エンタカポン、シュウ酸エスシタロプラム、エスリカルバゼピンアセテート、エソメプラゾール／ナプロキセン、エストラジオール、エストロゲン、エスゾピクロン、エトスクシミド、エトドラク、エゾガビン、フェブキソスタット、フェルバメート、フェンブフェン、クエン酸フェンタニル、フェンタニル経口、フェンタニルパッチ、フェンタニルＳＬ、フルニソリド、フルオロウラシル、フルオキセチン、プロピオン酸フルチカゾン、フルボキサミンＣｒ、フォルモテロール、ホスフェニトイン、フロバトリプタン、ガバペンチン、ガバペンチンＥＲ、グラニセトロンＥＲ、グアンファシン、酒石酸水素ヒドロコドンＣＲ、ヒドロコドン＋アセトアミノフェン、ヒドロコルチゾン、ヒドロモルホンＨｃｌ、ヒドロキシジン、オトギリソウ抽出物、イブプロフェン、インドメタシン、ケトロラック、ラコサミド、ラモトリジン、ラモトリジンＣＤＴ、ラモトリジンＯＤＴ、ラモトリジンＸＲ、レベチラセタム、レベチラセタムＩＲ、レベチラセタムＸＲ、レボミルナシプラン、レボサルブタモール、リドカインパッチ、リドカイン／テトラカイン、リスデックスフェタミン、炭酸リチウム、ロラゼパム、ロルカセリン、塩酸塩、ロサルタン、ロキサピン、メクリジン、メロキシカム、メタキサロン、メチルフェニデート、塩酸メチルフェニデート、メチルフェニデートＬＡ、メチルフェニデートＭＲ、メチルフェニデートパッチ、ミルナシプラン、ミルタザピン、モダフィニル、モルヒネ、モルヒネＣＲ、モルヒネＥＲ、ナビロン、ナドロール、ナルトレキソン、ナプロキセン、ナラトリプタン、ネドクロミル、ネファゾドン、ニトログリセリン、ニトログリセリ���軟膏、オランザピン、オランザピンＩＭ、オランザピンＬＡ、オンダンセトロン、オンダンセトロンＯＤＦＳ、オンダンセトロンＯＤＴ、オルリスタット、オキサプロジン、オキシカルバゼピン、オキシカルバゼピンＥＲ、オキシブチニン、オキシブチニンゲル、オキシコドン、オキシコドン＋アセトアミノフェン、オキシコドン塩酸塩、オキシコドンＩＲ、オキシモルホン、オキシモルホンＥＲ、パロノセトロン、パミドロネート、パロキセチン、パロキセチンメシレート、ペランパネル、フェンテルミン＋トピラメート、フェンテルミン塩酸塩、フェントラミンメシレート、プラミペキソール、プラミペキソール‐Ｅｒ、プラスグレル、プラゼパム、プレドニゾン、プレガバリン、プロメタジン、プロポフォール、クエチアピン、フマル酸クエチアピン、フマル酸クエチアピンＸＲ、ラメルテオン、ラサギリンメシレート、レミフェンタニル、リスペリドン、酒石酸リバスチグミン、リザトリプタン、ロピニロール、ロピニロールＸＬ、ロピバカイン、ロチゴチン、ルフィナミド、サルブタモール、スコポラミン、セレギリン、セレギリンＯＤＴ、セレギリン経皮、セルトラリン、ナトリウムオキシベート、ストロンチウム、スフェンタニル‐Ｅｎｔ、スマトリプタン自動注入装置、スマトリプタン無針、コハク酸スマトリプタン、スボレキサント、タペンタドール、タペンタドールＥＲ、タシメルテオン、テマゼパム、テストステロン、テトラカイン＋リドカイン、テオフィリン、チアガビン、チオトロピウム、チロフィバンＨｃＬ、トルカポン、トピラメート、トピラメートＸＲ、トラマドール、トラマドール＋アセトアミノフェン、トラマドールＥＲ、トラゾドンＣｒ、トリアゾラム、マレイン酸トリミプラミン、バルプロ酸セミナトリウムＥＲ、バルプロ酸ナトリウム、ベンラファキシン、ベンラファキシンＥＲ、ビガバトリン、ビラゾドン、ボルチオキセチン、ザレプロン、ジレウトン、ジプラシドン、ゾルミトリプタン経口、ゾルミトリプタンＺＭＴ、ゾルピデム、ゾルピデムスプレー、酒石酸ゾルピデムＣＲ、酒石酸ゾルピデム低用量ＳＬ、酒石酸ゾルピデムＳＬ、酢酸ノルエチステロン（ＮＥＴＡ）、エナプリル、エチニルエストラジオール、インスリン、メマンチン、メタンフェタミン、ノルエルゲストロミン、ペルゴリド、ラミプリル、タクリン、チモロール、トルテロジン、及びゾニサミドからなる群から選択される、付記１１５〜１５１のいずれか１項に記載の方法。
〔付記１５３〕
生物活性剤送達デバイスを使用する方法であって、
前記方法は：
前記デバイスの装用者から、前記生物活性剤送達デバイス上のボタンからの、渇望を示す入力を受信するステップ；
前記渇望を示す信号を、ネットワークを介して、又は別のデバイスへと、無線送信するステップ；及び
前記送信された信号に応答して、前記装用者にサポートメッセージを提供するステップ
を含む、方法。
〔付記１５４〕
電子メール、テキストメッセージ又はスマートフォン通知によって前記サポートメッセージを提供するステップを更に含む、付記１５３に記載の方法。
〔付記１５５〕
前記渇望の通知を、スポンサー、又は前記装用者が提供する他の接点に送るステップを更に含む、付記１５３又は１５４に記載の方法。
〔付記１５６〕
前記生物活性剤送達デバイスの使い捨て部品と再使用式部品とを係合するステップを更に含む、付記１５３〜１５５のいずれか１項に記載の方法。
〔付記１５７〕
前記使い捨て部品と前記再使用式部品とが係合されたことの示徴を提供するステップを更に含む、付記１５６に記載の方法。
〔付記１５８〕
前記使い捨て部品と前記再使用式部品との係合を示す信号を無線送信するステップを更に含む、付記１５７に記載の方法。
〔付記１５９〕
前記信号を、計算デバイスへ、又は無線ネットワークを介して、送るステップを更に含む、付記１５８に記載の方法。
〔付記１６０〕
前記信号を無線送信する前記ステップは、ブルートゥースプロトコルを用いて送信するステップを含む、付記１５８又は１５９に記載の方法。